(57)【要約】      （修正有）【課題】簡素な構成でクリーニング液によってインク吐出面を拭き取ることができる記録ヘッドのクリーニング方法を提供する。【解決手段】インクジェット記録装置は、記録ヘッド１０と、液吐出部材４１と、液供給機構と、移動機構とを備える。記録ヘッド１０は、インク吐出面１７を有し、インク吐出面１７からインクＮｆを吐出する。液吐出部材４１は、液吐出面４１１を有する。液供給機構は、液吐出面４１１にクリーニング液Ｃを供給する。移動機構は、ワイパー２０を液吐出面４１１又はインク吐出面１７に押し当てた状態で、ワイパー２０を移動させる。液吐出面４１１は、記録ヘッド１０のインク吐出面１７の長手方向の一方端１７１より外側に、インク吐出面１７と面一に形成される。移動機構は、液吐出面４１１からインク吐出面１７の長手方向の他方端１７２にワイパー２０を移動させる。【選択図】図１１
2019025657.tif 000002
【特許請求の範囲】
【請求項１】
記録ヘッドのインク吐出面にインクを供給するパージ動作を実行するパージステップと、
前記インク吐出面に接続される液吐出面の第１位置にクリーニング液を供給する第１液供給ステップと、
ワイパーを前記液吐出面の第２位置に配置し、前記ワイパーを前記液吐出面に押し当てた状態で、前記第２位置から前記第１位置を経由して前記インク吐出面の長手方向の一方端まで前記ワイパーを移動させた後、前記ワイパーを前記インク吐出面に押し当てた状態で、前記インク吐出面の長手方向の他方端まで移動させる第１ワイピングステップと
を含む、記録ヘッドのクリーニング方法。
【請求項２】
前記ワイパーの先端を洗浄する先端洗浄ステップを更に含む、請求項１に記載の記録ヘッドのクリーニング方法。
【請求項３】
前記先端洗浄ステップは、前記ワイパーを前記第１位置の直下に配置し、前記クリーニング液を前記ワイパーに滴下する液滴下ステップを含む、請求項２に記載の記録ヘッドのクリーニング方法。
【請求項４】
前記先端洗浄ステップは、
前記第１位置にクリーニング液を供給する第２液供給ステップと、
前記ワイパーを前記第１位置に押し当てた後に、前記ワイパーを前記液吐出面から離間させる昇降ステップと
を含む、請求項２に記載の記録ヘッドのクリーニング方法。
【請求項５】
前記先端洗浄ステップの後、前記ワイパーを前記第２位置に配置し、前記ワイパーを前記液吐出面に押し当てた状態で、前記第２位置から前記第１位置を経由して前記一方端まで前記ワイパーを移動させた後、前記ワイパーを前記インク吐出面に押し当てた状態で、前記他方端まで移動させる第２ワイピングステップを更に含む、請求項２から請求項４のいずれか１項に記載の記録ヘッドのクリーニング方法。
【請求項６】
インク吐出面を有し、前記インク吐出面からインクを吐出する記録ヘッドと、
液吐出面を有する液吐出部材と、
前記液吐出面にクリーニング液を供給する液供給機構と、
ワイパーを前記液吐出面又は前記インク吐出面に押し当てた状態で、前記ワイパーを移動させる移動機構と
を備え、
前記液吐出面は、前記インク吐出面の長手方向の一方端より外側に、前記インク吐出面と面一に形成され、
前記移動機構は、前記液吐出面から前記インク吐出面の長手方向の他方端に前記ワイパーを移動させる、記録装置。
【請求項７】
前記液供給機構は、前記液吐出部材に前記クリーニング液を供給するシリンジポンプを備える、請求項６に記載の記録装置。
【請求項８】
前記記録ヘッドの個数は複数であり、
前記液供給機構は、前記シリンジポンプから前記複数の前記記録ヘッドの各々に配置された前記液供給機構へ前記クリーニング液を供給する送液管を更に備え、
前記送液管は、分岐部を有し、
前記分岐部は、前記シリンジポンプから送出された前記クリーニング液を前記液吐出部材へ供給し、
前記液供給機構は、前記分岐部と前記液吐出部材との間に配置され、前記クリーニング液の流路が前記送液管と比較して狭い絞り部を更に備える、請求項７に記載の記録装置。
【請求項９】
前記ワイパーの移動を制御する制御部を更に備え、
前記液吐出部材は、前記液吐出面に対して前記インク吐出面と離間する側に配置される傾斜部材を備え、
前記傾斜部材は、前記液吐出面に接続され、載置面から離間する側に傾斜し、
前記載置面は、前記記録ヘッドに対向して配置されて、記録媒体が載置され、
前記記録媒体には、前記記録ヘッドによって画像が形成され、
前記制御部は、前記ワイパーの先端を前記傾斜部材に対向する位置に配置し、前記ワイパーを前記インク吐出面の長手方向に沿って移動させることによって、前記ワイパーを前記液吐出面又は前記インク吐出面に押し当てる、請求項６から請求項８のいずれか１項に記載の記録装置。
【請求項１０】
前記液供給機構は、前記クリーニング液を貯留し、前記液吐出面に前記クリーニング液を供給する液貯留部を更に備え、
前記液貯留部に貯留された前記クリーニング液には負圧が印加される、請求項６から請求項９のいずれか１項に記載の記録装置。
【請求項１１】
前記液供給機構は、前記クリーニング液を貯留するタンクを更に備え、
前記タンクに貯留された前記クリーニング液の液面は、前記液貯留部に貯留された前記クリーニング液の液面より所定高さだけ低い、請求項１０に記載の記録装置。
【発明の詳細な説明】
【技術分野】
【０００１】
本発明は、記録ヘッドのクリーニング方法、及び記録装置に関する。
【背景技術】
【０００２】
特許文献１に記載のインクジェット記録装置は、記録ヘッドとクリーニング部材とを備える。記録ヘッドは、ノズル面と洗浄液供給口とを有する。ノズル面には、複数のノズル列が形成されている。洗浄液供給口は、ノズル列に対して洗浄液を供給可能にノズル面に形成される。クリーニング部材は、移動しながら洗浄液供給口から供給された洗浄液を保持してノズル面をワイピングする。
【先行技術文献】
【特許文献】
【０００３】
【特許文献１】特開２００７−８３４９６号公報
【発明の概要】
【発明が解決しようとする課題】
【０００４】
しかしながら、特許文献１に記載のインクジェット記録装置では、洗浄液供給口に洗浄液（クリーニング液）を供給する流路を記録ヘッド内に形成する必要があるため、記録ヘッドの構造が複雑になり、記録ヘッドの製造コストが増大する。
【０００５】
本発明に係る記録ヘッドのクリーニング方法、及び記録装置は、上記課題に鑑みてなされたものであって、簡素な構成でクリーニング液によってインク吐出面を拭き取ることを目的としている。
【課題を解決するための手段】
【０００６】
本発明に係る記録ヘッドのクリーニング方法は、パージステップと、第１液供給ステップと、第１ワイピングステップとを含む。前記パージステップでは、記録ヘッドのインク吐出面にインクを供給するパージ動作を実行する。前記第１液供給ステップでは、前記インク吐出面に接続される液吐出面の第１位置にクリーニング液を供給する。前記第１ワイピングステップでは、ワイパーを前記液吐出面の第２位置に配置し、前記ワイパーを前記液吐出面に押し当てた状態で、前記第２位置から前記第１位置を経由して前記インク吐出面の長手方向の一方端まで前記ワイパーを移動させた後、前記ワイパーを前記インク吐出面に押し当てた状態で、前記インク吐出面の長手方向の他方端まで移動させる。
【０００７】
本発明に係る記録装置は、記録ヘッドと、液吐出部材と、液供給機構と、移動機構とを備える。前記記録ヘッドは、インク吐出面を有し、前記インク吐出面からインクを吐出する。前記液吐出部材は、液吐出面を有する。前記液供給機構は、前記液吐出面にクリーニング液を供給する。前記移動機構は、ワイパーを前記液吐出面又は前記インク吐出面に押し当てた状態で、前記ワイパーを移動させる。前記液吐出面は、前記記録ヘッドのインク吐出面の長手方向の一方端より外側に、前記インク吐出面と面一に形成される。前記移動機構は、前記液吐出面から前記インク吐出面の長手方向の他方端に前記ワイパーを移動させる。
【発明の効果】
【０００８】
本発明に係る記録ヘッドのクリーニング方法、及び記録装置によれば、簡素な構成でクリーニング液によってインク吐出面を拭き取ることができる。
【図面の簡単な説明】
【０００９】
【図１】本発明の実施形態に係るインクジェット記録装置の構成を示す図である。
【図２】ヘッド部の構成を示す斜視図である。
【図３】記録ヘッドの構成を示す側面図である。
【図４】制御部の構成、記録ヘッド及び、ワイパー部を示す図である。
【図５】移動機構がワイパーを下降させた状態を示す図である。
【図６】移動機構がワイパーを上昇させた状態を示す図である。
【図７】液供給機構の構成を示す図である。
【図８】送液管の構成を示す斜視図である。
【図９】液吐出部の構成を示す斜視図である。
【図１０】液吐出部のＸ−Ｘ断面を示す断面図である。
【図１１】（ａ）〜（ｄ）は、ワイパーの動作（第１工程）を示す図である。
【図１２】（ａ）〜（ｄ）は、ワイパーの動作（第２工程）を示す図である。
【図１３】（ａ）〜（ｃ）は、ワイパーの動作（第３工程）を示す図である。
【図１４】（ａ）〜（ｃ）は、ワイパーの動作（先端洗浄工程）を示す図である。
【図１５】制御部の処理を示すフローチャートである。
【図１６】制御部の処理を示すフローチャートである。
【発明を実施するための形態】
【００１０】
以下、本発明の実施形態について、図面（図１〜図１６）を参照しながら説明する。なお、図中、同一又は相当部分については同一の参照符号を付して説明を繰り返さない。また、本発明の実施形態では、図中に、互いに直交するＸ軸、Ｙ軸及びＺ軸を示す。Ｚ軸は鉛直線に平行であり、Ｘ軸及びＹ軸は水平面に平行である。
【００１１】
まず、図１を参照して、本発明の実施形態に係るインクジェット記録装置１について説明する。図１は、インクジェット記録装置１の構成を示す。インクジェット記録装置１は、トレイ２００、第１搬送ユニット２０５、ヘッド部３、制御部５０、ワイパー部６０、第２搬送ユニット２１２、排出ローラー２１６、及びキャップユニット２９０を備える。インクジェット記録装置１は、「記録装置」の一例に相当する。
【００１２】
トレイ２００は、用紙Ｐを収納する。トレイ２００は、第１搬送ユニット２０５よりも用紙Ｐの搬送方向Ｄ０の上流側（Ｙ軸の負方向側）に設けられる。トレイ２００は、給送ローラー２０１を有する。給送ローラー２０１は、トレイ２００の搬送方向Ｄ０の下流端（Ｙ軸の正方向端）に設けられる。給送ローラー２０１は、トレイ２００に収容された用紙Ｐを一枚ずつ第１搬送ユニット２０５へ給送する。用紙Ｐは、「記録媒体」の一例に相当する。
【００１３】
第１搬送ユニット２０５は、第１駆動ローラー２０６と、第１従動ローラー２０７と、第１搬送ベルト２０８とを含む。第１搬送ベルト２０８は、第１駆動ローラー２０６と第１従動ローラー２０７とに掛け渡される。第１駆動ローラー２０６が図略のモーターによって反時計回りに回転駆動されることによって、第１搬送ベルト２０８が回動する。第１従動ローラー２０７は、第１搬送ベルト２０８に従動する。第１搬送ベルト２０８が回動することによって、第１搬送ベルト２０８上に載置された用紙Ｐが搬送方向Ｄ０（Ｙ軸の正方向）に搬送される。
【００１４】
ヘッド部３は、第１搬送ベルト２０８上の載置面ＳＰに対向して配置される。載置面ＳＰは、第１搬送ベルト２０８の外周面であって、用紙Ｐが載置される。ヘッド部３は、ヘッドハウジング１８、ラインヘッド１０Ｙ、ラインヘッド１０Ｍ、ラインヘッド１０Ｃ及びラインヘッド１０Ｋを含む。ヘッドハウジング１８は、ラインヘッド１０Ｙ、１０Ｍ、１０Ｃ、１０Ｋを支持する。ラインヘッド１０Ｙ、１０Ｍ、１０Ｃ、１０Ｋは、それぞれ、イエロー色のインク、マゼンダ色のインク、シアン色のインク、及び、ブラック色のインクを吐出する。ラインヘッド１０Ｙ、１０Ｍ、１０Ｃ、１０Ｋは、用紙Ｐの搬送方向Ｄ０に沿って配置される。ヘッド部３によって画像が形成された用紙Ｐは、第２搬送ユニット２１２へ送出される。
【００１５】
第２搬送ユニット２１２は、第１搬送ユニット２０５よりも搬送方向Ｄ０の下流側に配置されている。第２搬送ユニット２１２は、第２駆動ローラー２１３と、第２従動ローラー２１４と、第２搬送ベルト２１５とを含む。第２搬送ベルト２１５は、第２駆動ローラー２１３と第２従動ローラー２１４とに掛け渡される。第２駆動ローラー２１３が図略のモーターによって反時計回りに回転駆動されることによって、第２搬送ベルト２１５が回動する。第２従動ローラー２１４は、第２搬送ベルト２１５に従動する。第２搬送ベルト２１５が回動することによって、第２搬送ベルト２１５上に載置された用紙Ｐが搬送方向Ｄ０に搬送される。
【００１６】
排出ローラー２１６は、第２搬送ユニット２１２よりも搬送方向Ｄ０の下流側に配置される。排出ローラー２１６は、画像が形成された用紙Ｐをインクジェット記録装置１の外部に排出する。
【００１７】
第２搬送ユニット２１２の下方にはワイパー部６０及びキャップユニット２９０が配置されている。ワイパー部６０は、ラインヘッド１０Ｙ、１０Ｍ、１０Ｃ、１０Ｋに付着したインクを拭き取る。キャップユニット２９０は、ラインヘッド１０Ｙ、１０Ｍ、１０Ｃ、１０Ｋのインク吐出面に装着される。
【００１８】
制御部５０は、プロセッサー５１及び記憶部５２を備える。プロセッサー５１は、例えばＣＰＵ（Ｃｅｎｔｒａｌ  Ｐｒｏｃｅｓｓｉｎｇ  Ｕｎｉｔ）を備える。記憶部５２は、半導体メモリーのようなメモリーを備え、ＨＤＤ（Ｈａｒｄ  Ｄｉｓｋ  Ｄｒｉｖｅ）を備えてもよい。記憶部５２は、制御プログラムを記憶している。
【００１９】
制御部５０は、インクジェット記録装置１の動作を制御する。制御部５０は、例えば、ワイパー部６０にラインヘッド１０Ｙ、１０Ｍ、１０Ｃ、１０Ｋのインク吐出面に付着したインクを拭き取らせる前に、以下の処理を行う。すなわち、制御部５０は、第１搬送ユニット２０５を下降させ、第２搬送ユニット２１２の下方に（Ｚ軸の負方向に）配置されたワイパー部６０を水平移動させて、待機位置であるヘッド部３の下方に配置する。その結果、ワイパー部６０は、ヘッド部３と第１搬送ユニット２０５との間に位置される。
【００２０】
制御部５０は、また例えば、ラインヘッド１０Ｙ、１０Ｍ、１０Ｃ、１０Ｋのインク吐出面をキャッピングする前に、以下の処理を行う。すなわち、キャップユニット２９０を水平移動させて、ヘッド部３の下方に位置させ、キャップユニット２９０を上方に（Ｚ軸の正方向に）移動させる。その結果、キャップユニット２９０は、ラインヘッド１０Ｙ、１０Ｍ、１０Ｃ、１０Ｋのインク吐出面に装着される。
【００２１】
次に、図２を参照して、ヘッド部３の構成について説明する。図２は、ヘッド部３の構成を示す斜視図である。図２に示すように、ラインヘッド１０Ｙ、１０Ｍ、１０Ｃ、１０Ｋは、それぞれ、３個の記録ヘッド１０を含む。３個の記録ヘッド１０は、搬送方向Ｄ０に直交する方向（ここでは、Ｘ軸方向）に沿って千鳥状に配置される。ヘッド部３は、１２個の記録ヘッド１０を含む。
【００２２】
次に、図３を参照して、記録ヘッド１０について説明する。図３は、記録ヘッド１０の構成を示す側面図である。図３に示すように、記録ヘッド１０は、流入口１３及び流出口１５を有する。
【００２３】
流入口１３は、インクが記録ヘッド１０に流入する開口部である。流出口１５は、インクが記録ヘッド１０から流出する開口部である。画像形成処理時、又はパージ処理時に、図略のインクタンクから流入口１３に流入したインクは、記録ヘッド１０の内部に流入し、流出口１５から流出する。
【００２４】
次に、図１〜図４を参照して、制御部５０の構成、記録ヘッド１０及びワイパー部６０について説明する。図４は、制御部５０の構成、記録ヘッド１０及びワイパー部６０を示す図である。図４に示すように、ワイパー部６０は、ワイパー２０及び移動機構３０を含む。
【００２５】
記録ヘッド１０は、インク吐出面１７及び複数のノズル１１を有する。インク吐出面１７の中央部には、複数のノズル１１が開口している。ノズル１１は、インクＮｆを吐出する。ノズル１１は、「パージ処理」において、記録ヘッド１０内の不要物と共にインクＮｆを排出する。「パージ処理」は、インク吐出面１７にインクＮｆを供給するパージ動作を実行する処理を示す。また、記録ヘッド１０の内部に流入したインクＮｆは、画像形成処理時にはノズル１１から吐出され、パージ処理時にはノズル１１から排出される。
【００２６】
また、インクジェット記録装置１は、液吐出部４０を更に含む。液吐出部４０は、クリーニング液Ｃを吐出する。液吐出部４０は、液吐出部材４１と傾斜部材４２とを備える。液吐出部材４１は、液吐出面４１１を有する。液吐出面４１１は、インク吐出面１７に接続される。液吐出面４１１は、インク吐出面１７と面一に形成される。液吐出面４１１には、クリーニング液Ｃが貯留される。
【００２７】
傾斜部材４２は、載置面ＳＰ（図１参照）から離間する側（Ｚ軸の正方向側）に傾斜する。傾斜部材４２は、傾斜面４２１を有する。傾斜面４２１は、「液吐出面」の一部に相当する。液吐出部４０については、図９及び図１０を参照して詳細に説明する。
【００２８】
インク吐出面１７は、一方端１７１と他方端１７２とを有する。一方端１７１は、インク吐出面１７の長手方向の両端のうちの一方の端を示す。一方端１７１は、液吐出面４１１と近接する側に位置する。他方端１７２は、インク吐出面１７の長手方向の両端のうちの他方の端を示す。他方端１７２は、液吐出面４１１から離間する側に位置する。液吐出部４０は、記録ヘッド１０の一方端１７１より外側に配置される。
【００２９】
インクＮｆは密閉空間（図略のインクタンク）に収容されている。よって、インクＮｆに含有される揮発成分の蒸発が防止される。インクＮｆに含有される揮発成分は、外気に触れると蒸発する。その結果、ノズル１１から排出されるインクＮｆは、空気に触れていた残留インクＮｖ（図１２（ｃ）参照）と比較して粘度が低い。
【００３０】
ワイパー２０は、移動機構３０によってインク吐出面１７に押し当てられ、インクＮｆを拭き取る。また、ワイパー２０は、インク吐出面１７に付着した不要物（例えば、ゴミ、埃）も拭き取る。ワイパー２０は、弾性を有し、平板状に形成されている。ワイパー２０の２つの主面は、Ｙ−Ｚ平面に平行に移動機構３０に配置される。ワイパー２０は、例えば、ＥＰＤＭ（ｅｔｈｙｌｅｎｅ−ｐｒｏｐｙｌｅｎｅ−ｄｉｅｎｅ  ｔｅｒｐｏｌｙｍｅｒ）を含む合成ゴム、又は、合成樹脂によって形成される。ワイパー２０の先端（上端）は、平坦（フラット）である。
【００３１】
移動機構３０は、制御部５０の指示に従ってワイパー２０を移動する。具体的には、移動機構３０は、方向Ｄ１、方向Ｄ２、方向Ｄ３及び方向Ｄ４にワイパー２０を移動する。方向Ｄ１及び方向Ｄ２は、Ｚ軸に沿った方向であり、インク吐出面１７に直交している。また、方向Ｄ３及び方向Ｄ４は、Ｘ軸及びインク吐出面１７に沿った方向である。移動機構３０の構造については、図５及び図６を参照して詳細に説明する。
【００３２】
クリーニング液ＣはインクＮｆと異なる。クリーニング液Ｃは、例えば、インクＮｆのうち色材を除く成分を有する溶液、又は、インクＮｆのうち色材を除く成分に類似する成分を有する溶液であることが好ましい。クリーニング液ＣがインクＮｆに混入した場合に、インクＮｆの特性に及ぼす影響が小さいからである。クリーニング液Ｃは、例えば、溶媒と水とを含む。クリーニング液Ｃは、例えば、インクＮｆの溶媒が好適に用いられる。クリーニング液ＣがインクＮｆに混入した場合に、インクＮｆの特性に及ぼす影響が小さいからである。
【００３３】
具体的には、クリーニング液Ｃは、イオン交換水とアルコール類とを含有することが好ましい。クリーニング液Ｃがアルコール類を含有すれば、クリーニング液Ｃの浸透性を高めることができる。より好ましくは、クリーニング液Ｃは、グリコールエーテル類を更に含有する。クリーニング液Ｃがグリコールエーテル類を含有すれば、クリーニング液Ｃの浸透性を高めることができる。クリーニング液Ｃは、グリセリン及び／又はグリコールを更に含有してもよい。クリーニング液Ｃがグリセリン及び／又はグリコールを含有すれば、クリーニング液Ｃの蒸発を抑制できる。また、クリーニング液Ｃには、界面活性剤、防腐剤、及び防かび剤のうちの全部又は一部が添加されていてもよい。
【００３４】
次に、制御部５０の構成について説明する。制御部５０のプロセッサー５１は、制御プログラムを実行することによって、第１指示部５０１、第２指示部５０２及び第３指示部５０３として機能する。
【００３５】
第１指示部５０１は、パージ処理、第１液供給処理、及び第１ワイピング処理を実行する。「第１液供給処理」は、液吐出面４１１にクリーニング液Ｃを供給する処理を示す。「第１ワイピング処理」は、ワイパー２０を傾斜面４２１から液吐出面４１１を経由してインク吐出面１７の他方端１７２まで移動させる処理を示す。
【００３６】
具体的には、「第１ワイピング処理」では、ワイパー２０を傾斜面４２１に配置し、ワイパー２０を液吐出面４１１に押し当てた状態で、傾斜面４２１から液吐出面４１１を経由してインク吐出面１７の一方端１７１までワイパー２０を移動させる。その後、ワイパー２０をインク吐出面１７に押し当てた状態で、インク吐出面１７の他方端１７２まで移動させる。
【００３７】
第２指示部５０２は、「先端洗浄処理」を実行する。「先端洗浄処理」は、ワイパー２０の先端（Ｚ軸の正方向端）にクリーニング液Ｃを供給し、ワイパー２０の先端を洗浄する処理を示す。
【００３８】
第３指示部５０３は、「第２ワイピング処理」を実行する。「第２ワイピング処理」は、ワイパー２０を傾斜面４２１から液吐出面４１１を経由してインク吐出面１７の他方端１７２まで移動させる処理を示す。
【００３９】
以上、図１〜図４を参照して説明したように、本発明の実施形態では、インク吐出面１７にインクＮｆを供給し、液吐出面４１１にクリーニング液Ｃを供給する。そして、ワイパー２０を液吐出面４１１又はインク吐出面１７に押し当てた状態で、傾斜面４２１から液吐出面４１１及びインク吐出面１７の一方端１７１を順次経由してインク吐出面１７の他方端１７２まで移動させる。したがって、クリーニング液Ｃ及びインクＮｆでインク吐出面１７を拭き取ることができるため、インク吐出面１７の付着物を除去できる。
【００４０】
また、液吐出面４１１はインク吐出面１７の一方端１７１より外側に配置されるため、記録ヘッド１０の構造を簡略化できる。
【００４１】
次に、図１、図４、図５及び図６を参照して、移動機構３０について詳細に説明する。図５は、移動機構３０がワイパー２０を下降させた状態を示す図である。図６は、移動機構３０がワイパー２０を上昇させた状態を示す図である。なお、図５及び図６では、図面の簡略化のため、液吐出部４０の記載を省略している。また、図５及び図６では、便宜上、ラインヘッド１０Ｋが備える３個の記録ヘッド１０に対応する３個のワイパー２０のみを記載している。
【００４２】
図５及び図６に示すように、移動機構３０は、キャリッジ３１、支持フレーム３５、コロ３６、ギャップコロ３７、昇降部材３８及び底部３９を備える。
【００４３】
底部３９は、昇降部材３８を介して支持フレーム３５を支持する。昇降部材３８は、底部３９上に配置され、支持フレーム３５を支持し昇降する。昇降部材３８は、第１昇降部材３８１と第２昇降部材３８２とを有する。第１昇降部材３８１は、第１リフト部材３８１ａ及び第１シャフト３８１ｂを含む。第２昇降部材３８２は、第２リフト部材３８２ａ及び第２シャフト３８２ｂを含む。
【００４４】
第１リフト部材３８１ａは、第１シャフト３８１ｂと一体に構成される。第１シャフト３８１ｂが回転駆動されることによって、第１リフト部材３８１ａは、第１シャフト３８１ｂと一体に回転する。また、第２リフト部材３８２ａは、第２シャフト３８２ｂと一体に構成される。第２シャフト３８２ｂが回転駆動されることによって、第２リフト部材３８２ａは、第２シャフト３８２ｂと一体に回転する。
【００４５】
第１シャフト３８１ｂは、図略のモーターによって回転駆動され、第１リフト部材３８１ａを昇降する。第２シャフト３８２ｂは、図略のモーターによって回転駆動され、第２リフト部材３８２ａを昇降する。第１リフト部材３８１ａ及び第２リフト部材３８２ａの昇降に伴って、支持フレーム３５が昇降される。
【００４６】
更に具体的には、第１シャフト３８１ｂが、図略のモーターによって回転駆動され、起立される。また、第２シャフト３８２ｂが、図略のモーターによって回転駆動され、起立される。第１シャフト３８１ｂ及び第２シャフト３８２ｂが起立されることによって、第１シャフト３８１ｂ及び第２シャフト３８２ｂが支持フレーム３５を上昇させる。
【００４７】
また、第１シャフト３８１ｂが、図略のモーターによって回転駆動され、倒伏される。また、第２シャフト３８２ｂが、図略のモーターによって回転駆動され、倒伏される。第１シャフト３８１ｂ及び第２シャフト３８２ｂが倒伏されることによって、第１シャフト３８１ｂ及び第２シャフト３８２ｂが支持フレーム３５を下降させる。
【００４８】
支持フレーム３５は、昇降部材３８によって支持される。また、支持フレーム３５は、コロ３６を介して、キャリッジ３１をＸ軸方向（方向Ｄ３及び方向Ｄ４）に移動可能に支持する。コロ３６は、支持フレーム３５によって支持され、支持フレーム３５上を回動することによって、キャリッジ３１をＸ軸方向（方向Ｄ３及び方向Ｄ４）に移動させる。
【００４９】
キャリッジ３１には、ギャップコロ３７及びワイパー２０が設けられている。ギャップコロ３７は、昇降部材３８によって支持フレーム３５が上昇されたときに、ヘッドハウジング１８に当接することで、インク吐出面１７に押し当てられたワイパー２０の上下方向の位置（上限位置）を一定に保持する。
【００５０】
次に、ワイパー２０を上昇させる場合の移動機構３０の動作を説明する。まず、制御部５０が、図略のモーターを駆動させて、第１シャフト３８１ｂを時計回りに回転させ、第２シャフト３８２ｂを反時計回りに回転させる。そして、倒伏状態の第１リフト部材３８１ａと第２リフト部材３８２ａとが起立状態に変化される。その結果、図６に示すように、支持フレーム３５と共にキャリッジ３１、コロ３６、ギャップコロ３７及びワイパー２０が上昇する。
【００５１】
図６は、図４に示す移動機構３０がワイパー２０を上昇させた状態を示す図である。図６に示すように、ギャップコロ３７は、ヘッドハウジング１８に当接することで、上昇してインク吐出面１７に押し当てられたワイパー２０の上下方向の位置を一定に保持する。キャリッジ３１が方向Ｄ３又は方向Ｄ４に移動することによって、ワイパー２０も方向Ｄ３又は方向Ｄ４に移動する。
【００５２】
なお、ラインヘッド１０Ｙ、１０Ｍ、１０Ｃの各々に対応する３個のワイパー２０は、移動機構３０によって、ラインヘッド１０Ｋに対応する３個のワイパー２０と同様の動作をする。
【００５３】
以上、図１、図４、図５及び図６を参照して説明したように、移動機構３０によってワイパー２０を昇降させ、ワイパー２０を方向Ｄ３及び方向Ｄ４に移動させることができる。すなわち、移動機構３０によって、ワイパー２０を方向Ｄ１、方向Ｄ２、方向Ｄ３及び方向Ｄ４に移動させることができる。
【００５４】
次に、図１〜図４及び図７を参照して、液供給機構７の構成について説明する。図７は、液供給機構７の構成を示す図である。インクジェット記録装置１は、液供給機構７を更に備える。図７に示すように、液供給機構７は、タンク７１、シリンジポンプ７２、配管７３、バルブ７５及び送液管４３を備える。液供給機構７は、液吐出部４０にクリーニング液Ｃを供給する。配管７３は、第１配管７３１と第２配管７３２とを含む。バルブ７５は、第１バルブ７５１と第２バルブ７５２とを含む。液供給機構７は、制御部５０の指示に従って動作する。
【００５５】
タンク７１は、クリーニング液Ｃを貯留する。クリーニング液Ｃは、第１配管７３１によって、タンク７１からシリンジポンプ７２に供給される。液面Ｃ１は、タンク７１に貯留されたクリーニング液Ｃの液面を示す。
【００５６】
第１配管７３１は、タンク７１に貯留されたクリーニング液Ｃをシリンジポンプ７２に供給する。第１配管７３１には、第１バルブ７５１が配置される。第２配管７３２は、送液管４３とタンク７１との間を、クリーニング液Ｃが流動可能となるように接続する。
【００５７】
シリンジポンプ７２は、タンク７１に貯留されたクリーニング液Ｃを送液管４３に吐出する。シリンジポンプ７２は、シリンダー７２１と、ピストン７２２とを有する。
【００５８】
シリンダー７２１は、円筒状に形成される。シリンダー７２１の底部には、流入口と流出口とが形成されている。
【００５９】
ピストン７２２は、円柱状又は円筒状に形成される。ピストン７２２の一部は、シリンダー７２１に挿入される。ピストン７２２は、制御部５０の指示に従って駆動装置によって、シリンダー７２１の長手方向（方向Ｄ５又は方向Ｄ６）に移動される。
【００６０】
ピストン７２２が方向Ｄ５に移動すると、第１配管７３１と流入口とを介して、クリーニング液Ｃがタンク７１からシリンダー７２１に流入する。方向Ｄ５は、シリンダー７２１がピストン７２２の底面から離間する方向を示す。ピストン７２２が方向Ｄ６に移動すると、流出口と送液管４３とを介して、クリーニング液Ｃがシリンダー７２１から液吐出部４０に供給される。方向Ｄ６は、シリンダー７２１がピストン７２２の底面に近接する方向を示す。
【００６１】
第１バルブ７５１は、第１配管７３１に配置される。第１バルブ７５１は、制御部５０の指示に従って開閉される。具体的には、第１バルブ７５１は、ピストン７２２の方向Ｄ５への移動を開始する直前に開状態にされ、ピストン７２２の方向Ｄ５への移動が終了した直後に閉状態にされる。すなわち、ピストン７２２が方向Ｄ５に移動している期間中は、第１バルブ７５１は、開状態にされ、その他の期間では、第１バルブ７５１は、閉状態にされる。
【００６２】
第２バルブ７５２は、送液管４３に配置される。第２バルブ７５２は、制御部５０の指示に従って開閉される。具体的には、第２バルブ７５２は、ピストン７２２の方向Ｄ６への移動を開始する直前に開状態にされ、ピストン７２２の方向Ｄ６への移動が終了した直後に閉状態にされる。すなわち、ピストン７２２が方向Ｄ６に移動している期間中は、第２バルブ７５２は、開状態にされ、その他の期間では、第２バルブ７５２は、閉状態にされる。
【００６３】
以上、図１〜図４及び図７を参照して説明したように、本発明の実施形態では、シリンジポンプ７２によって、液吐出部４０にクリーニング液Ｃが供給されるため、液吐出部４０に適正な液量のクリーニング液Ｃを供給できる。
【００６４】
次に、図１〜図４、図７及び図８を参照して、送液管４３の構成について説明する。図８は、送液管４３の構成を示す斜視図である。図８に示すように、送液管４３は、第１送液管４３１、第２送液管４３２、第３送液管４３３及び第４送液管４３４を含む。また、送液管４３は、分岐部４４を有する。分岐部４４は、第１分岐部４４１、第２分岐部４４２及び第３分岐部４４３を有する。液吐出部４０は、１２個の液吐出部（液吐出部４０１、液吐出部４０２、液吐出部４０３、液吐出部４０４、液吐出部４０５、液吐出部４０６、液吐出部４０７、液吐出部４０８、液吐出部４０９、液吐出部４０１０、液吐出部４０１１及び液吐出部４０１２）を含む。
【００６５】
第１送液管４３１は、シリンジポンプ７２から供給されたクリーニング液Ｃを、第１分岐部４４１に向けて送出する。第１分岐部４４１は、第１送液管４３１と第２送液管４３２とを分岐する。第１送液管４３１には、４箇所の第１分岐部４４１が配置され、４本の第２送液管４３２が接続されている。また、第１送液管４３１は、シリンジポンプ７２から供給されたクリーニング液Ｃを、４箇所の第１分岐部４４１を経由して、液吐出部４０１に送出する。
【００６６】
また、第１送液管４３１には、３箇所の第２分岐部４４２が配置され、３本の第３送液管４３３が接続されている。第２分岐部４４２は、第１送液管４３１と第３送液管４３３とを分岐する。第３送液管４３３は、クリーニング液Ｃを第１送液管４３１から、液吐出部４０２、液吐出部４０３及び液吐出部４０４に送出する。
【００６７】
第２送液管４３２は、クリーニング液Ｃを第１送液管４３１から液吐出部４０９、液吐出部４０１０、液吐出部４０１１及び液吐出部４０１２に送出する。また、第２送液管４３２には、４箇所の第３分岐部４４３が配置され、４本の第４送液管４３４が接続されている。第３分岐部４４３は、第２送液管４３２と第４送液管４３４とを分岐する。第４送液管４３４は、クリーニング液Ｃを第２送液管４３２から液吐出部４０５、液吐出部４０６、液吐出部４０７及び液吐出部４０８に送出する。
【００６８】
以上、図１〜図４、図７及び図８を参照して説明したように、本発明の実施形態では、送液管４３が分岐部４４（第１分岐部４４１、第２分岐部４４２及び第３分岐部４４３）を有するため、簡素な構成でクリーニング液Ｃを１２個の液吐出部（液吐出部４０１〜液吐出部４０１２）に送出できる。
【００６９】
次に、図１〜図４及び図７〜図１０を参照して、液吐出部４０の構成について詳細に説明する。図９は、液吐出部４０の構成を示す斜視図である。図９に示すように、液吐出部４０は、液吐出部材４１と傾斜部材４２とを備える。また、液吐出部材４１は、複数の吐出孔４１２を有する。
【００７０】
複数の吐出孔４１２は、記録ヘッド１０の長手方向と直交する方向（Ｙ軸方向）に配列される。また、複数の吐出孔４１２は、記録ヘッド１０の長手方向に２列に配置されている。
【００７１】
吐出孔４１２は、送液管４３によって液吐出部４０に供給されたクリーニング液Ｃを液吐出面４１１に送出する。液吐出面４１１に送出されたクリーニング液Ｃは、液吐出面４１１の表面に付着した状態で保持される。表面張力によって保持可能なクリーニング液Ｃの量を超えた場合には、クリーニング液Ｃは液吐出面４１１から滴下される。
【００７２】
図１０は、液吐出部４０のＸ−Ｘ断面を示す断面図である。図１０に示すように、液吐出部４０は、液貯留部４５、接続部４６及び絞り部４７を更に備える。
【００７３】
液貯留部４５は、送液管４３によって供給されたクリーニング液Ｃを貯留する。液貯留部４５に貯留されたクリーニング液Ｃには、負圧が印加される。具体的には、液面Ｃ１（図７参照）は、液面Ｃ２より所定高さだけ低い。液面Ｃ２は、液貯留部４５に貯留されたクリーニング液Ｃの液面を示す。所定高さは、例えば、２０ｍｍ〜８０ｍｍである。
【００７４】
接続部４６は、略円筒状に形成され、送液管４３と液貯留部４５との間をクリーニング液Ｃが流動可能に接続する。
【００７５】
絞り部４７は、接続部４６と液貯留部４５との間に配置される。絞り部４７のクリーニング液Ｃの流路は、送液管４３のクリーニング液Ｃの流路、及び接続部４６のクリーニング液Ｃの流路と比較して狭い。絞り部４７におけるクリーニング液Ｃの流路は、例えば、送液管４３の流路及び接続部４６の流路の１／１０〜１／５０の断面積を有する。
【００７６】
以上、図１〜図４及び図７〜図１０を参照して説明したように、本発明の実施形態では、送液管４３（分岐部４４）と液貯留部４５との間に配置され、クリーニング液Ｃの流路が送液管４３と比較して狭い絞り部４７が配置されている。よって、１２個の記録ヘッド１０の各々に配置された液貯留部４５と分岐部４４との間の送液管４３内のクリーニング液Ｃの圧力を互いに同一値にできる。したがって、複数の記録ヘッド１０の各々に配置された液貯留部４５にクリーニング液Ｃを均等に供給できる。
【００７７】
更に、液貯留部４５に貯留されたクリーニング液Ｃには負圧が印加されるため、クリーニング液Ｃが自然に滴下することを抑制できる。
【００７８】
また、液面Ｃ１は、液面Ｃ２より所定高さだけ低いため、液貯留部４５に貯留されたクリーニング液Ｃに簡素な構成で負圧を印加できる。また、所定高さを調整することによって、負圧の強さを簡素な構成で調整できる。
【００７９】
なお、本発明の実施形態では、絞り部４７が接続部４６と液貯留部４５との間に配置されるが、本発明はこれに限定されない。絞り部４７が分岐部４４と液貯留部４５との間に配置されればよい。例えば、接続部４６の長手方向（Ｚ軸方向）の中央部に絞り部４７が配置されてもよい。
【００８０】
次に、図４〜図１１を参照して、ワイパー２０の動作（第１工程）について説明する。図１１（ａ）〜図１１（ｄ）は、ワイパー２０の動作（第１工程）を示す図である。「第１工程」では、第１指示部５０１がパージ処理、第１液供給処理、及び第１ワイピング処理を実行する。制御部５０（第１指示部５０１、第２指示部５０２、及び、第３指示部５０３）の指示に応じて移動機構３０が動作することによって、ワイパー２０は、以下に説明するように動作する。また、記録ヘッド１０及び液供給機構７も制御部５０の指示に応じて、以下に説明するように動作する。
【００８１】
図１１（ａ）に示すように、初期状態では、ワイパー２０は、下限位置にある。また、ワイパー２０は、傾斜面４２１の下方に位置する。具体的には、ワイパー２０は、Ｘ座標がＸＡである第２位置ＰＴ２に配置される。そして、第２位置ＰＴ２からワイパー２０を方向Ｄ１に移動する（上昇する）。第２位置ＰＴ２のＸ座標を示すＸＡの値は、傾斜面４２１の一方端（Ｘ軸の正方向端）のＸ座標の値より小さく、傾斜面４２１の他方端（Ｘ軸の負方向端）のＸ座標の値より大きい。
【００８２】
記録ヘッド１０は、インク吐出面１７にインクＮｆを供給するパージ動作を実行する。そして、インク吐出面１７にインクＮｆが溜まる。また、液供給機構７は、液吐出部４０にクリーニング液Ｃを供給する。そして、液吐出面４１１の第１位置ＰＴ１にクリーニング液Ｃが溜まる。第１位置ＰＴ１は、液吐出面４１１上の位置を示す。具体的には、第１位置ＰＴ１は、液吐出面４１１にクリーニング液Ｃが溜まる位置を示す。
【００８３】
そして、図１１（ｂ）に示すように、ワイパー２０は、上限位置に到達して停止する。ワイパー２０が上限位置に到達した状態では、ワイパー２０の先端（上端）は、傾斜面４２１には当接していない。
【００８４】
次に、ワイパー２０は、方向Ｄ３に移動する。そして、ワイパー２０の先端が、傾斜面４２１に当接する。ワイパー２０は、更に方向Ｄ３に移動する。その結果、図１１（ｃ）に示すように、ワイパー２０の先端が曲げられる。ワイパー２０は、先端が曲げられた状態で、液吐出面４１１に押圧される。ワイパー２０は、液吐出面４１１に押圧された状態で、更に方向Ｄ３に移動する。
【００８５】
そして、ワイパー２０の先端は、液吐出面４１１に押圧された状態で、液吐出面４１１を摺動する。その結果、図１１（ｄ）に示すように、液吐出面４１１に溜まっていたクリーニング液Ｃがワイパー２０によって拭き取られる。ワイパー２０の先端にクリーニング液Ｃを保持した状態で、ワイパー２０は更に方向Ｄ３に移動する。そして、ワイパー２０の先端がインク吐出面１７に押し当てられた状態で、ワイパー２０は、インク吐出面１７の一方端１７１から、他方端１７２まで方向Ｄ３に移動する。その結果、インク吐出面１７に溜まっていたインクＮｆは、ワイパー２０によって拭き取られる。
【００８６】
以上、図４〜図１１を参照して説明したように、本発明の実施形態では、ワイパー２０の先端にクリーニング液Ｃを保持し、ワイパー２０の先端がインク吐出面１７に押し当てられた状態で、ワイパー２０は、インク吐出面１７の一方端１７１から、他方端１７２まで方向Ｄ３に移動する。したがって、ノズル１１は、インクＮｆとクリーニング液Ｃとが混合した液体で拭き取られるため、ノズル１１に付着した汚れを効果的に除去できる。
【００８７】
また、傾斜面４２１は、液吐出面４１１に連接され、載置面ＳＰから離間する側に傾斜する。よって、傾斜面４２１に側方からワイパー２０を方向Ｄ３に移動し、ワイパー２０の先端を傾斜部材４２に当接して、ワイパー２０の先端をスムーズに曲げることができる。したがって、ワイパー２０の先端の座屈を抑制できる。
【００８８】
次に、図４〜図１２を参照して、ワイパー２０の動作（第２工程）について説明する。図１２（ａ）〜図１２（ｄ）は、ワイパー２０の動作（第２工程）を示す図である。「第２工程」では、第２指示部５０２が第１先端洗浄処理を実行する。第１先端洗浄処理は、「先端洗浄処理」の一例に相当する。
【００８９】
図１２（ａ）に示すように、「第１工程」が終了した時には、ワイパー２０は、他方端１７２に押し当てられた状態にある。次に、ワイパー２０は、方向Ｄ２に下限位置まで移動される。
【００９０】
その結果、図１２（ｂ）に示すように、ワイパー２０は、他方端１７２の下方に位置する。また、ワイパー２０の先端には、インクＮｆが付着している。次に、ワイパー２０は、方向Ｄ４に第１位置ＰＴ１の直下まで移動される。
【００９１】
そして、図１２（ｃ）に示すように、ワイパー２０は、第１位置ＰＴ１の直下で停止する。このとき、ワイパー２０の先端には、残留インクＮｖが付着している。残留インクＮｖは、インクＮｆに含有される揮発成分が、外気に触れて蒸発して生成される。残留インクＮｖは、インクＮｆと比較して粘度が高い。
【００９２】
次に、図１２（ｄ）に示すように、液吐出部４０は、クリーニング液Ｃを液吐出面４１１に送出し、液吐出面４１１からクリーニング液Ｃをワイパー２０の先端に滴下する。
【００９３】
以上、図４〜図１２を参照して説明したように、本発明の実施形態では、クリーニング液Ｃをワイパー２０の先端に滴下するため、ワイパー２０の先端に付着した残留インクＮｖにクリーニング液Ｃを付着できる。したがって、ワイパー２０の先端に付着した残留インクＮｖを除去し易くできる。
【００９４】
次に、図４〜図１３を参照して、ワイパー２０の動作（第３工程）について説明する。図１３（ａ）〜図１３（ｃ）は、ワイパーの動作（第３工程）を示す図である。「第３工程」では、第３指示部５０３が、第２ワイピング処理を実行する。
【００９５】
図１３（ａ）に示すように、「第２工程」が終了した時には、ワイパー２０は、第１位置ＰＴ１の直下で停止している。また、液吐出面４１１には、クリーニング液Ｃが溜まっている。ワイパー２０の先端には、残留インクＮｖが付着している。ワイパー２０を、第２位置ＰＴ２まで方向Ｄ４に移動する。次に、ワイパー２０を、上限位置まで方向Ｄ１に移動する。
【００９６】
そして、図１３（ｂ）に示すように、ワイパー２０は、上限位置に到達して停止する。ワイパー２０が上限位置に到達した状態では、ワイパー２０の先端は、傾斜面４２１には当接していない。
【００９７】
次に、ワイパー２０は、方向Ｄ３に移動する。そして、ワイパー２０の先端が、傾斜面４２１に当接する。ワイパー２０は、更に方向Ｄ３に移動する。その結果、ワイパー２０の先端が曲げられる。次に、ワイパー２０は、先端が曲げられた状態で、液吐出面４１１に押圧される。ワイパー２０は、液吐出面４１１に押圧された状態で、更に方向Ｄ３に移動する。
【００９８】
そして、ワイパー２０の先端は、液吐出面４１１に押圧された状態で、液吐出面４１１を摺動する。その結果、液吐出面４１１に溜まっていたクリーニング液Ｃがワイパー２０によって拭き取られる。ワイパー２０の先端にクリーニング液Ｃを保持した状態で、ワイパー２０は更に方向Ｄ３に移動する。そして、ワイパー２０の先端がインク吐出面１７に押し当てられた状態で、ワイパー２０は、インク吐出面１７の一方端１７１から、他方端１７２まで方向Ｄ３に移動する。
【００９９】
その結果、図１３（ｃ）に示すように、ワイパー２０の先端がインク吐出面１７に押し当てられた状態で、ワイパー２０は、他方端１７２で停止する。そして、ワイパー２０は、下限位置まで方向Ｄ２に移動する。
【０１００】
以上、図４〜図１３を参照して説明したように、本発明の実施形態では、クリーニング液Ｃをワイパー２０の先端に滴下した後に、ワイパー２０の先端をインク吐出面１７に押し当てられた状態で、ワイパー２０は、インク吐出面１７の一方端１７１から他方端１７２まで移動する。したがって、ワイパー２０の先端に付着した残留インクＮｖを除去できる。
【０１０１】
また、クリーニング液Ｃをワイパー２０の先端に滴下した後に、ワイパー２０の先端をインク吐出面１７に押し当てられた状態で、ワイパー２０は、液吐出面４１１に押圧された状態で、液吐出面４１１を摺動する。よって、液吐出面４１１に溜まっていたクリーニング液Ｃがワイパー２０によって拭き取られる。したがって、ワイパー２０の先端に付着した残留インクＮｖを更に綺麗に除去できる。
【０１０２】
次に、図４〜図１４を参照して、図１２を参照して説明した第１先端洗浄処理とは別の第２先端洗浄処理について説明する。図１４（ａ）〜図１４（ｃ）は、ワイパー２０の動作（先端洗浄工程）を示す図である。「先端洗浄工程」では、第２指示部５０２が第２先端洗浄処理を実行する。第１先端洗浄処理では、液吐出面４１１からクリーニング液Ｃをワイパー２０の先端に滴下するのに対して、第２先端洗浄処理では、クリーニング液Ｃを滴下しない点で相違している。また、図１４（ａ）〜図１４（ｃ）に示すワイパー２０の動作（先端洗浄工程）は、図１２（ｃ）の後に、図１２（ｄ）を参照して説明した動作に替えて実行される。
【０１０３】
図１４（ａ）に示すように、ワイパー２０は、第１位置ＰＴ１の直下で停止している。ワイパー２０の先端には、残留インクＮｖが付着している。また、液吐出部４０は、クリーニング液Ｃを液吐出面４１１に送出し、液吐出面４１１の第１位置ＰＴ１にクリーニング液Ｃを溜める。次に、ワイパー２０は、方向Ｄ１に移動される。
【０１０４】
そして、図１４（ｂ）に示すように、ワイパー２０の先端が液吐出面４１１に当接する。このとき、ワイパー２０の先端に付着した残留インクＮｖがクリーニング液Ｃに浸漬される。次に、ワイパー２０は、方向Ｄ２に移動する。そして、図１４（ｃ）に示すように、ワイパー２０は、第１位置ＰＴ１の直下で停止する。
【０１０５】
以上、図４〜図１４を参照して説明したように、本発明の実施形態では、液吐出面４１１の第１位置ＰＴ１にクリーニング液Ｃを供給し、ワイパー２０を第１位置ＰＴ１に押し当てる。その後、ワイパー２０を液吐出面４１１から離間させる。よって、ワイパー２０の先端に付着した残留インクＮｖにクリーニング液Ｃを付着できる。したがって、ワイパー２０の先端に付着した残留インクＮｖを除去し易くできる。
【０１０６】
次に、図４〜図１６を参照して、制御部５０の動作を説明する。図１５及び図１６は、制御部５０の処理を示すフローチャートである。初期状態では、ワイパー２０は、下限位置にある。また、ワイパー２０は、第２位置ＰＴ２に位置する。
【０１０７】
図１５に示すように、まず、ステップＳ１０１において、記録ヘッド１０は、インク吐出面１７にインクＮｆを供給するパージ動作を実行する。
次に、ステップＳ１０３において、液供給機構７が液吐出面４１１にクリーニング液Ｃを供給する。
次に、ステップＳ１０５において、移動機構３０がワイパー２０を方向Ｄ１に上限位置まで移動する（上昇する）。
次に、ステップＳ１０７において、移動機構３０がワイパー２０を方向Ｄ３に移動する。
次に、ステップＳ１０９において、第１指示部５０１が、ワイパー２０が記録ヘッド１０の他方端１７２に到達したか否かを判定する。
ワイパー２０が記録ヘッド１０の他方端１７２に到達していないと第１指示部５０１が判定した場合（ステップＳ１０９でＮＯ）には、処理がステップＳ１０７に戻る。ワイパー２０が記録ヘッド１０の他方端１７２に到達したと第１指示部５０１が判定した場合（ステップＳ１０９でＹＥＳ）には、処理がステップＳ１１１に進む。
そして、ステップＳ１１１において、移動機構３０がワイパー２０の移動を停止する。
【０１０８】
次に、ステップＳ１１３において、移動機構３０がワイパー２０を方向Ｄ２に下限位置まで移動する（下降する）。
次に、ステップＳ１１５において、移動機構３０がワイパー２０を方向Ｄ４に移動する。
次に、ステップＳ１１７において、第２指示部５０２が、ワイパー２０が第１位置ＰＴ１の直下の位置に到達したか否かを判定する。
ワイパー２０が第１位置ＰＴ１の直下の位置に到達していないと第２指示部５０２が判定した場合（ステップＳ１１７でＮＯ）には、処理がステップＳ１１５に戻る。ワイパー２０が第１位置ＰＴ１の直下の位置に到達したと第２指示部５０２が判定した場合（ステップＳ１１７でＹＥＳ）には、処理が図１６のステップＳ１１９に進む。
そして、図１６に示すように、ステップＳ１１９において、移動機構３０がワイパー２０の移動を停止する。
次に、ステップＳ１２１において、液供給機構７が液吐出部４０からクリーニング液Ｃを吐出し、ワイパー２０の先端に滴下する。
【０１０９】
次に、ステップＳ１２３において、移動機構３０がワイパー２０を方向Ｄ４に移動する（下降する）。
次に、ステップＳ１２５において、第３指示部５０３が、ワイパー２０が第２位置ＰＴ２に到達したか否かを判定する。
ワイパー２０が第２位置ＰＴ２に到達していないと第３指示部５０３が判定した場合（ステップＳ１２５でＮＯ）には、処理がステップＳ１２３に戻る。ワイパー２０が第２位置ＰＴ２に到達したと第３指示部５０３が判定した場合（ステップＳ１２５でＹＥＳ）には、処理がステップＳ１２７に進む。
そして、ステップＳ１２７において、移動機構３０がワイパー２０の移動を停止する。
次に、ステップＳ１２９において、移動機構３０がワイパー２０を方向Ｄ１に上限位置まで移動する（上昇する）。
次に、ステップＳ１３１において、移動機構３０がワイパー２０を方向Ｄ３に移動する。
【０１１０】
次に、ステップＳ１３３において、第３指示部５０３が、ワイパー２０が記録ヘッド１０の他方端１７２に到達したか否かを判定する。
ワイパー２０が記録ヘッド１０の他方端１７２に到達していないと第３指示部５０３が判定した場合（ステップＳ１３３でＮＯ）には、処理がステップＳ１３１に戻る。ワイパー２０が記録ヘッド１０の他方端１７２に到達したと第３指示部５０３が判定した場合（ステップＳ１３３でＹＥＳ）には、処理がステップＳ１３５に進む。
そして、ステップＳ１３５において、移動機構３０がワイパー２０の移動を停止する。
次に、ステップＳ１３７において、移動機構３０がワイパー２０を方向Ｄ２に下限位置まで移動し（下降し）、処理が終了する。
【０１１１】
ステップＳ１０１〜ステップＳ１０７及びステップＳ１１１の処理は、第１指示部５０１の指示に従って実行される。ステップＳ１１３〜ステップＳ１１５及びステップＳ１１９〜ステップＳ１２１の処理は、第２指示部５０２の指示に従って実行される。ステップＳ１２３、ステップＳ１２７〜ステップＳ１３１及びステップＳ１３５〜ステップＳ１３７の処理は、第３指示部５０３の指示に従って実行される。
【０１１２】
また、ステップＳ１０１が、「パージステップ」の一例に相当する。ステップＳ１０３が、「第１液供給ステップ」の一例に相当する。ステップＳ１０７〜ステップＳ１１１が、「第１ワイピングステップ」の一例に相当する。ステップＳ１２１が、「液滴下ステップ」の一例に相当する。ステップＳ１３１〜ステップＳ１３５が「第２ワイピングステップ」の一例に相当する。
【０１１３】
以上、図４〜図１６を参照して説明したように、本発明の実施形態では、インク吐出面１７にインクＮｆを供給し、液吐出面４１１にクリーニング液Ｃを供給する。そして、ワイパー２０が液吐出面４１１及びインク吐出面１７を順次ワイピングする。また、液吐出面４１１にクリーニング液Ｃを供給し、ワイパー２０が液吐出面４１１及びインク吐出面１７を順次ワイピングする。したがって、インク吐出面１７の付着物を綺麗に除去できる。
【０１１４】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（５））。図面は、理解し易くするために、それぞれの構成要素を主体に模式的に示しており、図示された各構成要素の厚み、長さ、個数等は、図面作成の都合上、実際とは異なる場合がある。また、上記の実施形態で示す各構成要素の形状、寸法等は一例であって、特に限定されるものではなく、本発明の構成から実質的に逸脱しない範囲で種々の変更が可能である。
【０１１５】
（１）図１を参照して説明したように、本発明の実施形態では、記録装置がインクジェット記録装置１であるが、本発明はこれに限定されない。記録装置が、インクを吐出して記録媒体に画像を形成すればよい。
【０１１６】
（２）図２を参照して説明したように、本発明の実施形態では、インクジェット記録装置１が備える記録ヘッド１０の個数が１２個であるが、本発明はこれに限定されない。インクジェット記録装置１が備える記録ヘッド１０の個数は、１個以上であればよい。例えば、インクジェット記録装置１が備える記録ヘッド１０の個数が、２個でもよい。
【０１１７】
（３）図４を参照して説明したように、本発明の実施形態では、液吐出部４０が配置される位置が記録ヘッド１０の一方端であるが、本発明はこれに限定されない。液吐出部４０が配置される位置は、記録ヘッド１０の長手方向の端部であればよい。例えば、液吐出部４０が配置される位置が、記録ヘッド１０の長手方向の両端部でもよい。
【０１１８】
（４）図９を参照して説明したように、本発明の実施形態では、液供給機構７が液吐出面４１１にクリーニング液Ｃを送出する出口は複数の吐出孔４１２であるが、本発明はこれに限定されない。液供給機構７が液吐出面４１１にクリーニング液Ｃを送出する出口があればよい。例えば、液供給機構７が液吐出面４１１にクリーニング液Ｃを送出する出口が、液吐出部材４１に形成されたスリットでもよい。
【０１１９】
（５）図１１を参照して説明したように、本発明の実施形態では、移動機構３０が傾斜面４２１を経由してワイパー２０を液吐出面４１１に押し当てるが、本発明はこれに限定されない。移動機構３０が傾斜面４２１を経由せずにワイパー２０を液吐出面４１１に押し当ててもよい。
【産業上の利用可能性】
【０１２０】
本発明は、記録ヘッドのクリーニング方法、及び記録装置の分野に利用可能である。
【符号の説明】
【０１２１】
１    インクジェット記録装置
３    ヘッド部
１０Ｙ、１０Ｍ、１０Ｃ、１０Ｋ    ラインヘッド
１０    記録ヘッド
１１    ノズル
１７    インク吐出面
２０    ワイパー
３０    移動機構
７    液供給機構
７１    タンク
７２    シリンジポンプ
４３    送液管
４３    分岐部
４０、４０１〜４０１２    液吐出部
４１    液吐出部材
４１１    液吐出面
４２    傾斜部材
４２１    傾斜面（液吐出面の一部）
４５    液貯留部
４６    接続部
４７    絞り部
５０    制御部
５１    プロセッサー
５２    記憶部
５０１    第１指示部
５０２    第２指示部
５０３    第３指示部
Ｃ    クリーニング液
Ｄ１、Ｄ２、Ｄ３、Ｄ４    方向
Ｎｆ    インク
Ｎｖ    残留インク
ＰＴ１    第１位置
ＰＴ２    第２位置
【図１】
2019025657.tif 000003
【図２】
2019025657.tif 000004
【図３】
2019025657.tif 000005
【図４】
2019025657.tif 000006
【図５】
2019025657.tif 000007
【図６】
2019025657.tif 000008
【図７】
2019025657.tif 000009
【図８】
2019025657.tif 000010
【図９】
2019025657.tif 000011
【図１０】
2019025657.tif 000012
【図１１】
2019025657.tif 000013
【図１２】
2019025657.tif 000014
【図１３】
2019025657.tif 000015
【図１４】
2019025657.tif 000016
【図１５】
2019025657.tif 000017
【図１６】
2019025657.tif 000018